(57)【要約】【課題】受信品質の測定精度を向上させること。【解決手段】受信装置は、第１の送信装置から送信された信号を受信するＲＦ回路と、該ＲＦ回路により受信した信号に基づいて、受信品質を測定する信号処理部とを有する。信号処理部は、受信した信号のシンボルにマッピングされた既知信号のうち、第１の送信装置とは異なる第２の送信装置から送信された信号により干渉を受ける可能性の程度により区別されるシンボルを除くシンボルにマッピングされた既知信号に基づいて、受信品質を測定する。【選択図】図６
2014072784.tif 000002
【特許請求の範囲】
【請求項１】
第１の送信装置から送信された信号を受信するＲＦ回路と、
該ＲＦ回路により受信した信号に基づいて、受信品質を測定する信号処理部と
を有し、
前記信号処理部は、受信した前記信号のシンボルにマッピングされた既知信号のうち、前記第１の送信装置とは異なる第２の送信装置から送信された信号により干渉を受ける可能性の程度により区別されるシンボルを除くシンボルにマッピングされた既知信号に基づいて、受信品質を測定する、受信装置。
【請求項２】
前記第２の送信装置から送信された信号により干渉を受ける可能性の程度により区別されるシンボルシンボルは、前記第２の送信装置から送信された信号と前記第１の送信装置から送信された前記既知信号が衝突する第１のシンボルと、前記第１のシンボル以外で前記第２の送信装置から送信された信号と前記１の送信装置から送信された前記既知信号が衝突する可能のある第２のシンボルとを含む、請求項１に記載の受信装置。
【請求項３】
前記ＲＦ回路により受信した信号に基づいて、前記受信品質を測定する際に使用する既知信号を指定する制御部
を有し、
前記制御部は、前記ＲＦ回路により受信したサブフレームが前記第１のシンボルを含む場合、前記第１のシンボルと前記第２のシンボルとを除くシンボルにマッピングされる既知信号を、前記受信品質を測定する際に使用する既知信号に指定し、
前記信号処理部は、前記制御部により指定された既知信号に基づいて、受信品質を測定する、請求項２に記載の受信装置。
【請求項４】
前記ＲＦ回路により受信した信号に基づいて、前記受信品質を測定する際に使用する既知信号を指定する制御部
を有し、
前記制御部は、前記ＲＦ回路により受信したサブフレームが前記第１のシンボルを含まない場合、前記第２のシンボルを除くシンボルにマッピングされる既知信号を、前記受信品質を測定する際に使用する既知信号に指定し、
前記信号処理部は、前記制御部により指定された既知信号に基づいて、受信品質を測定する、請求項２に記載の受信装置。
【請求項５】
前記ＲＦ回路により受信した信号に基づいて、前記受信品質を測定する際に使用する既知信号を指定する制御部
を有し、
前記制御部は、前記ＲＦ回路により受信した信号に含まれる前記第１のシンボル及び前記第２のシンボルにマッピングされる既知信号の干渉量が、所定の閾値以上であるか否かに基づいて、前記受信品質を測定する際に使用する既知信号に指定し、
前記信号処理部は、前記制御部により指定された既知信号に基づいて、受信品質を測定する、請求項２に記載の受信装置。
【請求項６】
前記ＲＦ回路により受信した信号に基づいて、前記受信品質を測定する際に使用する既知信号を指定する制御部
を有し、
前記制御部は、前記ＲＦ回路により受信した信号に含まれる前記第１のシンボル、前記第２のシンボル、及び前記第１及び第２のシンボルを除く第３のシンボルにマッピングされる既知信号の干渉量に基づいて、前記第２のシンボルにマッピングされる既知信号の干渉量と前記第３のシンボルにマッピングされる既知信号の干渉量との間の差分、及び前記第１のシンボルにマッピングされる既知信号の干渉量と前記第３のシンボルにマッピングされる既知信号の干渉量との間の差分のいずれか一方、又は両方が所定の閾値以上であるか否かに基づいて、前記受信品質を測定する際に使用する既知信号に指定し、
前記信号処理部は、前記制御部により指定された既知信号に基づいて、受信品質を測定する、請求項２に記載の受信装置。
【請求項７】
送信装置からの信号を受信し、
受信した前記信号のシンボルにマッピングされた既知信号のうち、前記第１の送信装置とは異なる第２の送信装置から送信された信号により干渉を受ける可能性の程度により区別されるシンボルを除くシンボルにマッピングされる既知信号に基づいて、受信品質を測定する、受信方法。
【発明の詳細な説明】
【技術分野】
【０００１】
本発明は、通信装置に関する。
【背景技術】
【０００２】
移動通信システムでは、端末は、移動に伴って、最適な基地局と通信を行う。
【０００３】
例えば、基地局Ａと通信している端末が、基地局Bの方向へ移動することを考える。端末と基地局Ａとの間の距離よりも、端末と基地局Ｂとの間の距離が近くなった場合、端末は、基地局Bと通信した方が、無線性能がよくなる場合が多い。この場合、端末は、基地局Ａから基地局Ｂへハンドオーバする。
【０００４】
移動通信システムでは、ハンドオーバに備え、端末は、通信中の基地局Ａ、及び該基地局Ａに隣接する基地局Ｂ等の受信品質を測定する。端末が、通信中の基地局Ａ、及び基地局Ｂの受信品質を測定し、モニタする機能をメジャメント（Ｍｅａｓｕｒｅｍｅｎｔ）機能という。
【０００５】
ＬＴＥ（Ｌｏｎｇ  Ｔｅｒｍ  Ｅｖｏｌｕｔｉｏｎ）におけるメジャメント機能について説明する。
【０００６】
図１は、時間方向（ｔ）と周波数方向（ｆ）の２次元の方向で、ＯＦＤＭ信号を表したものである。時間方向はＯＦＤＭシンボル、周波数方向はサブキャリアを最小単位としてもよい。ＬＴＥでは、リソースエレメント（Ｒｅｓｏｕｒｃｅ  Ｅｌｅｍｅｎｔ：  ＲＥ）を単位として、様々な信号がマッピングされる。
【０００７】
図１には、リファレンスシグナル（Ｒｅｆｅｒｅｎｃｅ  Ｓｉｇｎａｌ：  ＲＳ）と呼ばれる既知信号がマッピングされるリソースエレメントが示される。ＲＳは、基地局固有のパタン系列を含む。端末は、受信品質を測定する基地局に関するＲＳ系列を用いて、基準信号受信パワー（Ｒｅｆｅｒｅｎｃｅ  Ｓｉｇｎａｌ  Ｒｅｃｅｉｖｅｄ  Ｐｏｗｅｒ：  ＲＳＲＰ）を測定することができる。端末は、メジャメントの際に、受信品質を測定する基地局に関するＲＳ系列を用いて、ＲＳＲＰを測定する。
【０００８】
受信機は、複数のアンテナで無線信号を受信する。受信機は、ＲＦ部において、所望の周波数帯の信号を得る。受信機は、所望の周波数帯の信号をダウンコンバージョンする。受信機は、ＡＤ変換器により、ダウンコンバージョンした信号をデジタル信号に変換し、デジタルベースバンド帯の信号を得る。受信機は、デジタルベースバンド帯の信号を復調し、復号する。
【０００９】
一方、受信機は、デジタルベースバンド帯の信号を用いて、各セルの受信品質を測定する。
【００１０】
端末は、ＲＳＲＰと、基準信号受信品質（Ｒｅｆｅｒｅｎｃｅ  Ｓｉｇｎａｌ  Ｒｅｃｅｉｖｅｄ  Ｑｕａｌｉｔｙ：  ＲＳＲＱ）とを測定する。ＲＳＲＰと、受信信号強度インジケータ（Ｒｅｃｅｉｖｅｄ  Ｓｉｇｎａｌ  Ｓｔｒｅｎｇｔｈ  Ｉｎｄｉｃａｔｏｒ：  ＲＳＳＩ）から、ＲＳＲＱが求められる。
【００１１】
端末は、ＲＳＲＰを算出する際に、測定対象の基地局に対応するＲＳ系列を用いて相関演算を行う。ＲＳは所定の周期で送信されているため、端末は、相関演算の結果を平均化する。端末は、平均化された相関演算の結果を用いて、ＲＳＲＰを算出する。
【００１２】
ＬＴＥをエンハンス（ｅｎｈａｎｃｅ）させたＬＴＥ−Ａｄｖａｎｃｅｄ（ＬＴＥ−Ａ）では、ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）と呼ばれるセル間干渉制御技術が採用される（例えば、非特許文献１参照）。
【００１３】
図２は、ｅＩＣＩＣを示す図である。
【００１４】
端末がｅＮＢ＃１と通信する際、ｅＮＢ＃２からの信号が干渉となる。ｅＮＢ＃２は、ｅＮＢ＃１の隣接セルである。ｅＮＢ＃２からは、該端末以外の他の端末向けの信号が送信される。
【００１５】
ｅＩＣＩＣでは、ｅＮＢ＃２が信号をほとんど送信しない時間帯を設ける。ｅＮＢ＃２が信号をほとんど送信しない時間帯に、端末とｅＮＢ＃１との間で通信を行うことにより、端末への干渉を低減する。
【００１６】
ＬＴＥ−Ａでは、信号をほとんど送信しないサブフレームが用意される。該サブフレームは、ＡＢＳ（ａｌｍｏｓｔ  ｂｌａｎｋ  ｓｕｂｆｒａｍｅ）と呼ばれる。ｅＮＢ＃２は、ＡＢＳでは、データをほとんど送信しない。従って、該サブフレームは、ｅＮＢ＃２からの信号が、ｅＮＢ＃１への干渉源となることがない。ＡＢＳで、端末とｅＮＢ＃１との間で通信を行うことにより、該端末への干渉が低減される。
【００１７】
ｅＮＢ＃２と通信する端末は、ｅＮＢ＃２から送信されるＡＢＳに含まれるｅＮＢ＃１のＲＳを用いてｅＮＢ＃１のＲＳＲＰを測定する。また、ｅＮＢ＃１へハンドオーバする端末は、ＡＢＳに含まれるｅＮＢ＃１のＲＳを用いてｅＮＢ＃１のＲＳＲＰを測定する。ｅＮＢ＃１へハンドオーバすることにより、端末は、ＡＢＳで、ｅＮＢ＃１との間で通信を行うことができる。
【００１８】
ｅＩＣＩＣが適用される場合でも、端末は、測定対象の基地局に対応するＲＳ系列を用いて、ＡＢＳに含まれるＲＳを用いて、相関演算を行い、該相関演算の結果を平均化し、該平均化された相関演算の結果を用いて、ＲＳＲＰを算出する。
【先行技術文献】
【非特許文献】
【００１９】
【非特許文献１】３ＧＰＰ  ＴＳ  ３６．３００  Ｖ１０．７．０、  １６．１．５  Ｉｎｔｅｒ−ｃｅｌｌ  Ｉｎｔｅｒｆｅｒｅｎｃｅ  Ｃｏｏｒｄｉｎａｔｉｏｎ（ＩＣＩＣ）、  ２０１２−０３
【非特許文献２】川合，樋口，佐和橋，"ＱＲＭ−ＭＬＤを用いるＶＳＦ−Ｓｐｒｅａｄ  ＯＦＤＭ  ＭＩＭＯ多重におけるブランチメトリックに基づく各ステージ独立生き残りシンボルレプリカ候補数制限法，"信学技報  ＲＣＳ２００４−２０７，  ２００４年１０月
【発明の概要】
【発明が解決しようとする課題】
【００２０】
図３は、受信品質を測定するセル（Ｍｅａｓｕｒｅｄ  ｃｅｌｌ）からのサブフレームと、干渉セル（ｉｎｔｅｒｆｅｒｉｎｇ  ｃｅｌｌ）からのＡＢＳの例を示す。図３において、横軸は時間であり、縦軸は周波数である。時間はＯＦＤＭシンボルを単位とし、周波数はリソースエレメントを単位としてもよい。
【００２１】
端末は、受信品質を測定するセルからのＲＳを用いて、ＲＳＲＰを測定する。しかし、ＡＢＳでは、ＲＳや、物理下りリンク制御チャネル（Ｐｈｙｓｉｃａｌ  Ｄｏｗｎｌｉｎｋ  Ｃｏｎｔｒｏｌ  ＣＨａｎｎｅｌ：  ＰＤＣＣＨ）等が送信される。このため、受信品質を測定するセルからのサブフレームと、干渉セルのＡＢＳとの間で衝突が生じる場合がある。図３では、○印により、衝突が生じる虞があるＲＳを示す。
【００２２】
（ａ）ｔ＝０のＯＦＤＭシンボルでは、受信品質を測定するセルからのＲＳは、干渉セルからのＰＤＣＣＨ等の制御信号と衝突する可能性がある。つまり、受信品質を測定するセルからのＲＳは、干渉セルからの制御信号から干渉を受ける。衝突の可能性は、全サブフレームで略同一である。
【００２３】
（ｂ）ｔ＝４、１１のＯＦＤＭシンボルでは、受信品質を測定するセルからのＲＳと、干渉セルからのＰＤＣＣＨ等の制御信号との間では衝突は発生しない。
【００２４】
（ｃ）ｔ＝７のＯＦＤＭシンボルでは、受信品質を測定するセルからのＲＳは、干渉セルからの物理報知チャネル（Ｐｈｙｓｉｃａｌ  Ｂｒｏａｄｃａｓｔ  Ｃｈａｎｎｅｌ：  ＰＢＣＨ）と衝突する可能性がある。つまり、受信品質を測定するセルからのＲＳは、干渉セルからの物理報知チャネルから干渉を受ける。サブフレーム番号が零（０）番であるサブフレームで衝突する可能性がある。
【００２５】
仮に、ｔ＝０、７のＯＦＤＭシンボルで衝突が発生したり、又は干渉が発生したりする場合を考える。この場合、ｔ＝０、７のＯＦＤＭシンボルに含まれるＲＳに基づいて算出されるＲＳＲＰは、ｔ＝４、１１のＯＦＤＭシンボルに含まれるＲＳに基づいて算出されるＲＳＲＰよりも、精度が悪くなる。
【００２６】
つまり、ｔ＝０、４、７、及び１１のＯＦＤＭシンボルに含まれるＲＳに基づいてＲＳＲＰを算出した場合、十分な精度が得られない虞がある。
【００２７】
開示の受信装置は、受信品質の測定精度を向上させることを目的とする。
【課題を解決するための手段】
【００２８】
開示の一実施例の受信装置は、
第１の送信装置から送信された信号を受信するＲＦ回路と、
該ＲＦ回路により受信した信号に基づいて、受信品質を測定する信号処理部と
を有し、
前記信号処理部は、受信した前記信号のシンボルにマッピングされた既知信号のうち、前記第１の送信装置とは異なる第２の送信装置から送信された信号により干渉を受ける可能性の程度により区別されるシンボルを除くシンボルにマッピングされた既知信号に基づいて、受信品質を測定する。
【発明の効果】
【００２９】
開示の実施例によれば、受信品質の測定精度を向上させることができる。
【図面の簡単な説明】
【００３０】
【図１】リファレンスシグナルのマッピングの一例を示す図である。
【図２】セル間干渉制御を示す図である。
【図３】下りリンクの信号のサブフレームの一例を示す図である。
【図４】無線通信システムの一実施例を示す図である。
【図５】受信装置の一実施例を示す図である。
【図６】受信装置の一実施例を示す機能ブロック図である。
【図７】下りリンクの信号の無線フレームの一例を示す図である。
【図８】サブフレーム＃０におけるＯＦＤＭシンボル群の一実施例を示す図である。
【図９】サブフレーム＃０以外におけるＯＦＤＭシンボル群の一実施例を示す図である。
【図１０】受信装置の動作の一実施例を示すフローチャートである。
【図１１】受信装置の動作の一変形例を示すフローチャートである。
【図１２】受信装置の一変形例を示す機能ブロック図である。
【図１３】受信装置の一変形例を示す機能ブロック図である。
【図１４】受信装置の動作の一変形例を示すフローチャートである。
【図１５】受信装置の一変形例を示す機能ブロック図である。
【図１６】受信装置の動作の一変形例を示すフローチャートである。
【図１７】受信品質の測定結果の一例を示す図である。
【発明を実施するための形態】
【００３１】
以下、図面に基づいて、実施例を説明する。
なお、実施例を説明するための全図において、同一機能を有するものは同一符号を用い、繰り返しの説明は省略する。
【００３２】
＜無線通信システム＞
図４は、無線通信システムの一実施例を示す。
【００３３】
無線通信システムの一実施例は、ユーザ端末１００と、基地局２００１〜２００ｎ（ｎは、ｎ＞１の整数）とを有する。図４には、一例として、ｎ＝２の場合について示す。
【００３４】
第１の基地局２００１と、第２の基地局２００２との間では、干渉コーディネーションにより、第１の基地局２００１、第２の基地局２００２の送信するサブフレームのいずれか一方が送信停止サブフレームとされる。送信停止サブフレームには、ＡＢＳ、ＭＢＳＦＮ（Ｍｕｌｔｉｍｅｄｉａ  Ｂｒｏａｄｃａｓｔ／Ｍｕｌｔｉｃａｓｔ  Ｓｅｒｖｉｃｅ  ｏｖｅｒ  ａ  Ｓｉｎｇle  Ｆｒｅｑｕｅｎｃｙ  Ｎｅｔｗｏｒｋ）サブフレームが含まれる。無線通信システムの一実施例では、ＡＢＳが含まれる場合について説明する。
【００３５】
例えば、第１の基地局２００１の配下にユーザ端末１００が在圏する場合には、第２の基地局２００２からの下りリンクの信号が干渉となる。この場合、第２の基地局２００２からの下りリンクの信号にＡＢＳが含まれる。該ＡＢＳの間は、ユーザ端末１００は、第１の基地局２００１からの下りリンクの信号を受信する際に、第２の基地局２００２からの下りリンクの信号による干渉を低減できる。
【００３６】
＜受信装置＞
図５は、受信装置３００の一実施例を示す。図５には、主に、受信装置３００のハードウェア構成が示される。受信装置３００は、ユーザ端末１００に実装されてもよいし、基地局２００１〜２００ｎに実装されてもよい。
【００３７】
以下、第１の基地局２００１の配下に、ユーザ端末１００が在圏する場合について説明する。
【００３８】
受信装置３００は、ＲＦ回路６００１〜６００ｍ（ｍは、ｍ＞０の整数）と、ＡＤＣ５００１〜５００ｍと、ベースバンド処理装置（ＢＢＵ：  Ｂａｓｅ  Ｂａｎｄ  Ｕｎｉｔ）４００とを備える。図５には、ｍ＝２の場合について示される。
【００３９】
ＲＦ回路６００１〜６００ｍは、アナログ回路により構成される。ＲＦ回路６００１〜６００ｍは、第１の基地局２００１からの無線信号を受信する。ＲＦ回路６００１〜６００ｍは、受信した無線信号から、所望の周波数帯の信号を得て、ダウンコンバージョンし、ＡＤＣ５００１〜５００ｍへ入力する。
【００４０】
ＡＤＣ５００１〜５００ｍは、ＲＦ回路６００１〜６００ｍと接続される。ＡＤＣ５００１〜５００ｍは、デジタル信号へ、ＲＦ回路６００１〜６００ｍからの信号を変換する。ＡＤＣ５００１〜５００ｍは、ベースバンド処理装置４００へ、デジタル信号を入力する。
【００４１】
ＲＦ回路６００１〜６００ｍと、ＡＤＣ５００１〜５００ｍとが一体化されてＲＦＩＣとして実現されてもよい。
【００４２】
ベースバンド処理装置４００は、ＤＳＰ（Ｄｉｇｉｔａｌ  Ｓｉｇｎａｌ  Ｐｒｏｃｅｓｓｏｒ）４０２と、ＣＰＵ（Ｃｅｎｔｒａｌ  Ｐｒｏｃｅｓｓｉｎｇ  Ｕｎｉｔ）４０４と、ハードウェア４０６と、メモリ４０８とを有する。
【００４３】
ＤＳＰ４０２は、ＣＰＵ４０４からの命令に従って、ベースバンド信号処理を行う。ＤＳＰ４０２は、ＣＰＵ４０４からの命令に従って、第１の基地局２００１からの受信データを処理する。
【００４４】
ＣＰＵ４０４は、ＤＳＰ４０２と接続される。ＣＰＵ４０４は、内蔵されたファームウェア等のソフトウェア及びメモリ４０８に格納されたプログラム等に従って、ＤＳＰ４０２にデジタル信号処理を実行させる。
【００４５】
ハードウェア４０６は、ＤＳＰ４０２と接続される。ハードウェア４０６は、復調処理、復号処理、メジャメント処理等、各種処理を行う。
【００４６】
メモリ４０８は、ＣＰＵ４０４と接続される。メモリ４０８は、ＤＳＰ４０２、ＣＰＵ４０４へ実行させるプログラムを格納する。
【００４７】
＜受信装置３００の機能＞
図６は、受信装置３００の一実施例を示す。図６には、主に、受信装置３００のベースバンド処理装置４００で実行される処理が示される。
【００４８】
受信装置３００は、相関演算部７０２と、平均化処理部７０４と、ＲＳＲＰ算出部７０６と、制御部７０８とを有する。
【００４９】
ＣＰＵ４０４は、制御部７０８として機能するようにしてもよい。ＤＳＰ４０２は、相関演算部７０２と、平均化処理部７０４と、ＲＳＲＰ算出部７０６として機能するようにしてもよい。
【００５０】
相関演算部７０２は、制御部７０８による制御に従って、測定対象の第１の基地局２００１のＲＳ系列を用いて、ＡＤＣ５００ｍからのＲＳとの相関演算を行う。相関演算部７０２は、周波数方向にマッピングされた複数のＲＳのそれぞれの相関演算の結果を平均化してもよい。相関演算部７０２は、平均化処理部７０４へ、相関演算の結果を入力する、
平均化処理部７０４は、相関演算部７０２と接続される。平均化処理部７０４は、制御部７０８による制御に従って、相関演算部７０２からの相関演算の結果を平均化する。例えば、平均化処理部７０４は、相関演算部７０２からのＯＦＤＭシンボルの相関結果を時間平均する。平均化処理部７０４は、ＲＳＲＰ算出部７０６へ、平均化した相関演算の結果を入力する。
【００５１】
ＲＳＲＰ算出部７０６は、平均化処理部７０４と接続される。ＲＳＲＰ算出部７０６は、平均化処理部７０４からの平均化した相関演算の結果を用いて、ＲＳＲＰを算出する。
【００５２】
図７は、ＬＴＥにおける下りリンクの信号のフレーム構成例を示す。図７には、周波数分割複信（Ｆｒｅｑｕｅｎｃｙ  Ｄｉｖｉｓｉｏｎ  Ｄｕｐｌｅｘ）方式について示される。受信装置３００の一実施例は、周波数分割複信方式で送信される下りリンクの信号を受信する。また、受信装置３００が時分割復信方式で送信される下りリンクの信号を受信する場合についても同様に適用できる。
【００５３】
ＬＴＥシステムの１０ｍｓの無線フレーム（ｒａｄｉｏ  ｆｒａｍｅ）には、サブフレーム（ｓｕｂｆｒａｍｅ）＃０〜＃９が含まれる。
【００５４】
全てのサブフレームには、先頭から４ＯＦＤＭシンボル以内に、ＰＤＣＣＨ、ＰＣＦＩＣＨ、ＰＨＩＣＨがマッピングされる。ここで、ＰＣＦＩＣＨは、Ｐｈｙｓｉｃａｌ  Ｃｏｎｔｒｏｌ  Ｆｏｒｍａｔ  Ｉｎｄｉｃａｔｏｒ  Ｃｈａｎｎｅｌの略である。また、ＰＨＩＣＨは、Ｐｈｙｓｉｃａｌ  Ｈｙｂｒｉｄ  ＡＲＱ  Ｉｎｄｉｃａｔｏｒ  Ｃｈａｎｎｅｌの略である。
【００５５】
全てのサブフレームには、ＲＳ、ＰＤＳＣＨ（Ｐｈｙｓｉｃａｌ  Ｄｏｗｎｌｉｎｋ  Ｓｈａｒｅｄ  ＣＨａｎｎｅｌ）がマッピングされる。
【００５６】
サブフレーム＃０、及び＃５には、ＰＳＳ（Ｐｒｉｍａｒｙ  Ｓｙｎｃｈｒｏｎｉｚａｔｉｏｎ  Ｓｉｇｎａｌ）と、ＳＳＳ（Ｓｅｃｏｎｄａｒｙ  Ｓｙｎｃｈｒｏｎｉｚａｔｉｏｎ  Ｓｉｇｎａｌ）がマッピングされる。
【００５７】
また、サブフレーム＃０には、ＰＢＣＨ（Ｐｈｙｓｉｃａｌ  Ｂｒｏａｄｃａｓｔ  Ｃｈａｎｎｅｌ）がマッピングされる。
【００５８】
受信装置３００の一実施例では、サブフレームに含まれるＯＦＤＭシンボルが複数に分類される。一例として、３グループに分類される場合について説明する。
【００５９】
３グループに分類される場合、ＯＦＤＭシンボルは、干渉セルからの下りリンクの信号により干渉が生じる可能性があるＯＦＤＭシンボル群Ａと、干渉セルからの下りリンクの信号により干渉が生じるＯＦＤＭシンボル群Ｂと、干渉セルからの下りリンクの信号により干渉が生じないＯＦＤＭシンボル群Ｃとに分類される。
【００６０】
図８は、ＲＳＲＰを測定するセルからのサブフレーム＃０と、干渉セルからのＡＢＳの一例を示す。ここで、ＲＳＲＰを測定するセルは第１の基地局２００１、干渉セルは第２の基地局２００２であってもよい。
【００６１】
ｔ＝０のＯＦＤＭシンボルでは、干渉セルからＰＤＣＣＨ等の制御信号が送信される可能性がある。よって、ＲＳＲＰを測定するセルからのＲＳは、当該干渉セルからのＰＤＣＣＨ等の制御信号と衝突する可能性があるため、ＯＦＤＭシンボル群Ａに分類される。
【００６２】
ｔ＝７のＯＦＤＭシンボルでは、干渉セルから物理報知チャネルが送信される。よって、ＲＳＲＰを測定するセルからのＲＳは、当該干渉セルからの物理報知チャネルと衝突するため、ＯＦＤＭシンボル群Ｂに分類される。
【００６３】
ｔ＝４、１１のＯＦＤＭシンボルでは、ＲＳＲＰを測定するセルからのＲＳと、干渉セルからのＰＤＣＣＨ等の制御信号との間では衝突は発生しないため、ＯＦＤＭシンボル群Ｃに分類される。
【００６４】
図９は、ＲＳＲＰを測定するセルからのサブフレーム＃０以外のサブフレームと、干渉セルからのＡＢＳの一例を示す。本例において、干渉セルからは物理報知チャネルが送信されない。
【００６５】
ｔ＝０のＯＦＤＭシンボルでは、干渉セルからＰＤＣＣＨ等の制御信号が送信される可能性がある。よって、ＲＳＲＰを測定するセルからのＲＳは、当該干渉セルからのＰＤＣＣＨ等の制御信号と衝突する可能性があるため、ＯＦＤＭシンボル群Ａに分類される。
【００６６】
ｔ＝４、７、１１のＯＦＤＭシンボルでは、ＲＳＲＰを測定するセルからのＲＳと、干渉セルからのＰＤＣＣＨ等の制御信号との間では衝突は発生しないため、ＯＦＤＭシンボル群Ｃに分類される。
【００６７】
制御部７０８は、ＡＤＣ５００１〜５００ｍから相関演算部７０２へ入力されるサブフレームの番号を検出する。例えば、受信装置３００が、基地局２００１〜２００ｎのいずれかと同期する際に、制御部７０８は、基地局２００１〜２００ｎのいずれかからの下りリンクの信号のサブフレーム番号を検出する。制御部７０８は、検出したサブフレームの番号に基づいて、相関演算部７０２へ、相関演算に使用するＯＦＤＭシンボル群を入力する。制御部７０８が検出したサブフレームの番号が＃０である場合には、相関演算に、ＯＦＤＭシンボル群Ａ、及びＣを使用できる。制御部５０８は、相関演算部５０２、及び平均化処理部５０４へ、ＯＦＤＭシンボル群Ａ、及びＣに含まれるＯＦＤＭシンボルを示すｔ＝０、４、１１を入力する。
【００６８】
制御部７０８が検出したサブフレームの番号が＃０以外である場合には、相関演算に、ＯＦＤＭシンボル群Ａ、及びＣを使用できる。制御部５０８は、相関演算部５０２、及び平均化処理部５０４へ、ＯＦＤＭシンボル群Ａ、及びＣに含まれるＯＦＤＭシンボルを示すｔ＝０、４、１１を入力する。
【００６９】
＜受信装置３００の動作＞
図１０は、受信装置３００の動作の一実施例を示すフローチャートである。
【００７０】
ステップＳ１００２では、制御部７０８は、相関演算部７０２へ入力されるサブフレームの番号がサブフレーム＃０であるか否かを判定する。
【００７１】
ステップＳ１００４では、ステップＳ１００２によりサブフレーム＃０であると判定された場合、制御部７０８は、相関演算部７０２、及び平均化処理部７０４に、相関演算に使用するＯＦＤＭシンボルを設定する。具体的には、制御部７０８は、使用するＯＦＤＭシンボルに、ＯＦＤＭシンボル群Ａ、及びＯＦＤＭシンボル群Ｃを設定する。サブフレーム＃０の場合、ＯＦＤＭシンボル群Ａにはｔ＝０が含まれ、ＯＦＤＭシンボル群Ｃにはｔ＝４、１１が含まれる。
【００７２】
ステップＳ１００６では、ステップＳ９０２によりサブフレーム＃０でないと判定された場合、制御部７０８は、相関演算部７０２、及び平均化処理部７０４に、相関演算に使用するＯＦＤＭシンボルを設定する。具体的には、制御部７０８は、使用するＯＦＤＭシンボルに、ＯＦＤＭシンボル群Ａ、及びＯＦＤＭシンボル群Ｃを設定する。サブフレーム＃０以外の場合、ＯＦＤＭシンボル群Ａにはｔ＝０が含まれ、ＯＦＤＭシンボル群Ｃにはｔ＝４、７、１１が含まれる。
【００７３】
例えば、サブフレーム＃０のｔ＝７のＯＦＤＭシンボルは、干渉セルからのＰＢＣＨと衝突する。しかし、図１０に示されるフローチャートによれば、ステップＳ１００４によりｔ＝７のＯＦＤＭシンボルは、ＯＦＤＭシンボル群Ａ、及びＣに含まれないため、相関演算、及び平均化処理には使用されない。
【００７４】
受信装置３００の一実施例によれば、ＲＳＲＰの算出に、干渉セルからの物理報知チャネルと衝突するサブフレーム＃０のｔ＝７のＯＦＤＭシンボルを使用しないため、サブフレーム＃０のＲＳＲＰの測定算出精度を向上させることができる。サブフレーム＃０のＲＳＲＰの算出精度を向上させることにより、受信品質の測定精度を向上させることができる。
【００７５】
例えば、希望信号をｓとし、２つの異なる雑音をｎ１、ｎ２とする。
【００７６】
受信信号をｙ１、ｙ２とすると、式（１）、式（２）が得られる。例えば、ｙ１はｔ＝０のＯＦＤＭシンボルに含まれるＲＳの１つに対応する受信信号であり、ｙ２はｔ＝７のＯＦＤＭシンボルに含まれるＲＳの１つに対応する受信信号である。
【００７７】
ｙ１＝ｓ＋ｎ１      （１）
ｙ２＝ｓ＋ｎ２      （２）
希望信号ｓを得るために、式（１）、式（２）を平均化し、雑音量を抑圧する。式（３）が得られる。
【００７８】
１／２（ｙ１＋ｙ２）＝ｓ＋１／２（ｎ１＋ｎ２）      （３）
式（３）において、１／２（ｎ１＋ｎ２）が雑音を示す。
【００７９】
雑音の平均電力は、式（４）により表される。
【００８０】
〈｜１／２（ｎ１＋ｎ２）｜２〉＝１／４（〈｜ｎ１｜２〉＋〈｜ｎ２｜２〉）      （４）
ここで、２つの雑音ｎ１、及びｎ２は無相関であると仮定した。
【００８１】
ここで、ｙ１を用いた場合、雑音電力は〈｜ｎ１｜２〉である。
【００８２】
２つの雑音ｎ１、及びｎ２が不均等である場合に平均したほうがよいか、平均しないほうがよいかを考える。
【００８３】
１／４（〈｜ｎ１｜２〉＋〈｜ｎ２｜２〉）＞〈｜ｎ１｜２〉
〈｜ｎ２｜２〉＞３〈｜ｎ１｜２〉      （５）
式（５）から、〈｜ｎ２｜２〉が、〈｜ｎ１｜２〉の３倍よりも大きくなる場合には、ｙ１、ｙ２を平均化せずに、ｙ１を用いた方がよいことが分かる。
【００８４】
＜変形例（その１）＞
受信装置３００の一変形例は、図５、図６により説明される。
【００８５】
受信装置３００の一変形例では、ＲＳＲＰを測定するセルからのＲＳが、干渉セルからのＰＤＣＣＨ等の制御信号と衝突する可能性があるｔ＝０のＯＦＤＭシンボルを、ＲＳＲＰの算出に使用しない。換言すれば、ＲＳＲＰの算出に、サブフレーム＃０の場合にはｔ＝４、１１のＯＦＤＭシンボルを使用し、サブフレーム＃０以外の場合にはｔ＝４、７、１１のＯＦＤＭシンボルを使用する。
【００８６】
＜受信装置３００の動作＞
図１１は、受信装置３００の動作の一変形例を示すフローチャートである。
【００８７】
ステップＳ１１０２では、制御部７０８は、相関演算部７０２へ入力されるサブフレームの番号がサブフレーム＃０であるか否かを判定する。
【００８８】
ステップＳ１１０４では、ステップＳ１１０２によりサブフレーム＃０であると判定された場合、制御部７０８は、相関演算部７０２、及び平均化処理部７０４に、相関演算に使用するＯＦＤＭシンボルを設定する。具体的には、制御部７０８は、使用するＯＦＤＭシンボルに、ＯＦＤＭシンボル群Ｃを設定する。サブフレーム＃０の場合、ＯＦＤＭシンボル群Ｃにはｔ＝４、１１が含まれる。
【００８９】
ステップＳ１１０６では、ステップＳ１１０２によりサブフレーム＃０でないと判定された場合、制御部７０８は、相関演算部７０２、及び平均化処理部７０４に、相関演算に使用するＯＦＤＭシンボルを設定する。具体的には、制御部７０８は、使用するＯＦＤＭシンボルに、ＯＦＤＭシンボル群Ｃを設定する。サブフレーム＃０以外の場合、ＯＦＤＭシンボル群Ｃにはｔ＝４、７、１１が含まれる。
【００９０】
受信装置３００の一変形例によれば、ｔ＝０のＯＦＤＭシンボルをＲＳＲＰの算出に使用しないため、ＲＳＲＰの精度を向上させることができる。ＲＳＲＰの算出精度を向上させることにより、受信品質の測定精度を向上させることができる。
【００９１】
＜変形例（その２）＞
受信装置３００の一変形例は、図５により説明される。
【００９２】
受信装置３００は、各ＯＦＤＭシンボル群について干渉量を測定する。受信装置３００は、干渉量の測定結果に基づいて、ＲＳＲＰを算出する際に、平均化するＯＦＤＭシンボル群を設定する。
【００９３】
＜受信装置３００の機能＞
図１２は、受信装置３００の一実施例を示す。図１２には、主に、受信装置３００のベースバンド処理装置４００で実行される処理が示される。
【００９４】
受信装置３００は、相関演算部７０２と、平均化処理部７０４と、ＲＳＲＰ算出部７０６と、制御部７０８とを有する。
【００９５】
ＣＰＵ４０４は、制御部７０２として機能するようにしてもよい。ＤＳＰ４０２は、相関演算部７０２と、平均化処理部７０４と、ＲＳＲＰ算出部７０６として機能するようにしてもよい。
【００９６】
相関演算部７０２は、測定対象の基地局のＲＳ系列を用いて、ＡＤＣ５００１〜５００ｍからのＲＳとの相関演算を行う。相関演算部７０２は、周波数方向にマッピングされた複数のＲＳのそれぞれの相関演算の結果を、平均化してもよい。相関演算部７０２は、平均化処理部７０４へ、相関演算の結果を入力する、
平均化処理部７０４は、相関演算部７０２と接続される。平均化処理部７０４は、制御部７０８による制御に従って、相関演算部７０２からの相関演算の結果を平均化する。例えば、平均化処理部７０４は、相関演算部７０２からのＯＦＤＭシンボルの相関結果を時間平均する。平均化処理部７０４は、ＲＳＲＰ算出部７０６へ、平均化した相関演算の結果を入力する。
【００９７】
ＲＳＲＰ算出部７０６は、平均化処理部７０４と接続される。ＲＳＲＰ算出部７０６は、平均化処理部７０４からの平均化した相関演算の結果を用いて、ＲＳＲＰを算出する。
【００９８】
図１３は、制御部７０８の一変形例を示す。制御部７０８は、第１の干渉量測定部７０８２と、第２の干渉量測定部７０８４と、使用ＯＦＤＭシンボル群判定部７０８６とを備える。
【００９９】
受信装置３００の一変形例では、サブフレームに含まれるＯＦＤＭシンボルが複数のグループに分類される。一例として、３グループに分類される場合について説明する。
【０１００】
３グループに分類される場合、ＯＦＤＭシンボルは、干渉が生じる可能性があるＯＦＤＭシンボル群Ａと、干渉が生じるＯＦＤＭシンボル群Ｂと、干渉が生じないＯＦＤＭシンボル群Ｃとに分類される。
【０１０１】
第１の干渉量測定部７０８２には、ｔ＝０のＯＦＤＭシンボルが入力される。第１の干渉量測定部７０８２は、ｔ＝０のＯＦＤＭシンボルに基づいて、ＯＦＤＭシンボル群Ａに関連する干渉量（以下、「干渉量Ｉ１」という）を求める。干渉量の測定には、様々な方法を用いることができる（例えば、非特許文献２参照）。第１の干渉量測定部７０８２は、使用ＯＦＤＭシンボル群判定部７０８６へ、干渉量Ｉ１を入力する。
【０１０２】
第２の干渉量測定部７０８４には、ｔ＝７のＯＦＤＭシンボルが入力される。第２の干渉量測定部７０８４は、ｔ＝７のＯＦＤＭシンボルに基づいて、ＯＦＤＭシンボルグループＢに関連する干渉量（以下、「干渉量Ｉ２」という）を求める。干渉量の測定には、様々な方法を用いることができる（例えば、非特許文献２参照）。第２の干渉量測定部７０８４は、使用ＯＦＤＭシンボル群判定部７０８６へ、干渉量Ｉ２を入力する。
【０１０３】
使用ＯＦＤＭシンボル群判定部７０８６は、第１の干渉量測定部７０８２からの干渉量Ｉ１に基づいて、平均化処理部７０４における相関演算の結果の平均化処理に、ＯＦＤＭシンボル群Ａを使用するか否かを判定する。具体的には、使用ＯＦＤＭシンボル群判定部７０８６は、干渉量Ｉ１が予め決められた閾値Ｘｔｈを超える場合、平均化処理部７０４における相関演算の結果の平均化処理にＯＦＤＭシンボル群Ａを使用しないと判定する。干渉量Ｉ１が予め決められた閾値Ｘｔｈを超える場合、ＯＦＤＭシンボル群Ａは干渉量が多いと判断されるためである。一方、使用ＯＦＤＭシンボル群判定部７０８６は、干渉量Ｉ１が予め決められた閾値Ｘｔｈを超えない場合、平均化処理部７０４における相関演算の結果の平均化処理にＯＦＤＭシンボル群Ａを使用すると判定する。干渉量Ｉ１が予め決められた閾値Ｘｔｈを超えない場合、ＯＦＤＭシンボル群Ａは干渉量が少ないと判断されるためである。
【０１０４】
使用ＯＦＤＭシンボル群判定部７０８６は、第２の干渉量測定部７０８４からの干渉量Ｉ２に基づいて、平均化処理部７０４における相関演算の結果の平均化処理に、ＯＦＤＭシンボル群Ｂを使用するか否かを判定する。具体的には、使用ＯＦＤＭシンボル群判定部７０８６は、干渉量Ｉ２が予め決められた閾値Ｘｔｈを超える場合、平均化処理部７０４における相関演算の結果の平均化処理にＯＦＤＭシンボル群Ｂを使用しないと判定する。干渉量Ｉ２が予め決められた閾値Ｘｔｈを超える場合、ＯＦＤＭシンボル群Ｂは干渉量が多いと判断されるためである。一方、使用ＯＦＤＭシンボル群判定部７０８６は、干渉量Ｉ２が予め決められた閾値Ｘｔｈを超えない場合、平均化処理部７０４における相関演算の結果の平均化処理にＯＦＤＭシンボル群Ｂを使用すると判定する。干渉量Ｉ２が、予め決められた閾値Ｘｔｈを超えない場合、ＯＦＤＭシンボル群Ｂは干渉量が少ないと判断されるためである。干渉量Ｉ１と比較する閾値と、干渉量Ｉ２と比較する閾値は、同じであってもよいし、異なっていてもよい。
【０１０５】
受信装置３００の一変形例では、ＯＦＤＭシンボル群Ｃは、平均化処理部７０４における相関演算の結果の平均化処理に使用される。
【０１０６】
サブフレーム＃０以外では、ＯＦＤＭシンボル群Ｂが存在しないため、干渉量Ｉ１に基づく処理が実行される。
【０１０７】
＜受信装置３００の動作＞
図１４は、受信装置３００の動作の一変形例を示すフローチャートである。
【０１０８】
ステップＳ１４０２では、第１の干渉量測定部７０８２は、ｔ＝０のＯＦＤＭシンボルであるか否かを判定する。
【０１０９】
ステップＳ１４０４では、ステップＳ１４０２によりｔ＝０のＯＦＤＭシンボルであると判定された場合、第１の干渉量測定部７０８２は、干渉量Ｉ１を測定する。
【０１１０】
ステップＳ１４０６では、使用ＯＦＤＭシンボル群判定部７０８６は、干渉量Ｉ１が閾値Ｘｔｈより大きいか否かを判定する。
【０１１１】
ステップＳ１４０８では、干渉量Ｉ１が閾値Ｘｔｈより大きいと判定された場合、使用ＯＦＤＭシンボル群判定部７０８６は、ｔ＝０のＯＦＤＭシンボルを使用しないと判定する。使用ＯＦＤＭシンボル群判定部７０８６は、平均化処理部７０４に、ｔ＝０のＯＦＤＭシンボルを使用しないで平均化処理を実行させる。使用ＯＦＤＭシンボル群判定部７０８６は、処理を終了する。
【０１１２】
ステップＳ１４１０では、干渉量Ｉ１が閾値Ｘｔｈより大きくないと判定された場合、使用ＯＦＤＭシンボル群判定部７０８６は、ｔ＝０のＯＦＤＭシンボルを使用すると判定する。使用ＯＦＤＭシンボル群判定部７０８６は、平均化処理部７０４に、ｔ＝０のＯＦＤＭシンボルを使用して平均化処理を実行させる。使用ＯＦＤＭシンボル群判定部７０８６は、処理を終了する。
【０１１３】
ステップＳ１４１２では、ステップＳ１４０２によりｔ＝０のＯＦＤＭシンボルでないと判定された場合、第２の干渉量測定部７０８４は、ｔ＝７のＯＦＤＭシンボルであるか否かを判定する。
【０１１４】
ステップＳ１４１２によりｔ＝７のＯＦＤＭシンボルでないと判定された場合、終了する。
【０１１５】
ステップＳ１４１４では、ステップＳ１４１２によりｔ＝７のＯＦＤＭシンボルであると判定された場合、第２の干渉量測定部７０８４は、干渉量Ｉ２を測定する。
【０１１６】
ステップＳ１４１６では、使用ＯＦＤＭシンボル群判定部７０８６は、干渉量Ｉ２が閾値Ｘｔｈより大きいか否かを判定する。
【０１１７】
ステップＳ１４１８では、干渉量Ｉ２が閾値Ｘｔｈより大きいと判定された場合、使用ＯＦＤＭシンボル群判定部７０８６は、ｔ＝７のＯＦＤＭシンボルを使用しないと判定する。使用ＯＦＤＭシンボル群判定部７０８６は、平均化処理部７０４に、ｔ＝７のＯＦＤＭシンボルを使用しないで平均化処理を実行させる。使用ＯＦＤＭシンボル群判定部７０８６は、処理を終了する。
【０１１８】
ステップＳ１４２０では、干渉量Ｉ２が閾値Ｘｔｈより大きくないと判定された場合、使用ＯＦＤＭシンボル群判定部７０８６は、ｔ＝７のＯＦＤＭシンボルを使用すると判定する。使用ＯＦＤＭシンボル群判定部７０８６は、平均化処理部７０４に、ｔ＝７のＯＦＤＭシンボルを使用して平均化処理を実行させる。使用ＯＦＤＭシンボル群判定部７０８６は、処理を終了する。
【０１１９】
受信装置３００の一変形例によれば、干渉量Ｉ１、Ｉ２に応じて、相関演算の結果を平均化する際に、ＯＦＤＭシンボル群Ａ、Ｂを使用するか否かを判断できる。干渉量が多いＯＦＤＭシンボル以外のＯＦＤＭシンボルを使用して、ＲＳＲＰを算出できるため、ＲＳＲＰの精度を向上させることができる。ＲＳＲＰの精度を向上させることにより、受信品質の測定精度を向上させることができる。
【０１２０】
＜変形例（その３）＞
受信装置３００の一変形例は、図５、図１２により説明される。
【０１２１】
受信装置３００は、各ＯＦＤＭシンボル群について干渉量を測定する。受信装置３００は、干渉量の測定結果に基づいて、ＲＳＲＰを算出する際に、平均化するＯＦＤＭシンボル群を設定する。干渉量の測定には、様々な方法を用いることができる（例えば、非特許文献２参照）。
【０１２２】
＜受信装置３００の機能＞
図１５は、制御部７０８を示す。制御部７０８は、第１の干渉量測定部７０８２と、第２の干渉量測定部７０８４と、第３の干渉量測定部７０８８と、第４の干渉量測定部７０９０と、使用ＯＦＤＭシンボル群判定部７０８６と、平均部７０９２と、切替部７０９４とを備える。
【０１２３】
第１の干渉量測定部７０８２には、ｔ＝０のＯＦＤＭシンボルが入力される。第１の干渉量測定部７０８２は、ｔ＝０のＯＦＤＭシンボルに基づいて、ＲＳの干渉量Ｉ１を求める。第１の干渉量測定部７０８２は、使用ＯＦＤＭシンボル群判定部７０８６へ、干渉量Ｉ１を入力する。
【０１２４】
第２の干渉量測定部７０８４には、ｔ＝７のＯＦＤＭシンボルが入力される。第２の干渉量測定部７０８４は、ｔ＝７のＯＦＤＭシンボルに基づいて、ＲＳの干渉量Ｉ２を求める。第２の干渉量測定部７０８４は、切替部７０９４へ、干渉量Ｉ２を入力する。
【０１２５】
第３の干渉量測定部７０８８には、ｔ＝４のＯＦＤＭシンボルが入力される。第３の干渉量測定部７０８８は、ｔ＝４のＯＦＤＭシンボルに基づいて、ＲＳの干渉量Ｉ３を求める。第３の干渉量測定部７０８８は、平均部７０９２へ、干渉量Ｉ３を入力する。
【０１２６】
第４の干渉量測定部７０９０には、ｔ＝１１のＯＦＤＭシンボルが入力される。第４の干渉量測定部７０９０は、ｔ＝１１のＯＦＤＭシンボルに基づいて、ＲＳの干渉量Ｉ３を求める。第４の干渉量測定部７０９０は、平均部７０９２へ、干渉量Ｉ３を入力する。
【０１２７】
切替部７０９４は、第２の干渉量測定部７０８４と接続される。切替部７０９４には、サブフレーム番号（サブフレーム情報）が入力される。該サブフレーム番号は、平均化処理部７０４へ入力される相関演算の結果に対応するサブフレーム番号である。切替部７０９４は、入力されたサブフレーム番号が＃０である場合、使用ＯＦＤＭシンボル群判定部７０８６へ、第２の干渉量測定部７０８４からの干渉量Ｉ２を入力する。切替部７０９４は、入力されたサブフレーム番号が＃０以外である場合、平均部７０９２へ、第２の干渉量測定部７０８４からの干渉量Ｉ２を入力する。
【０１２８】
平均部７０９２は、第３の干渉量測定部７０８８、第４の干渉量測定部７０９０、及び切替部７０９４と接続される。平均部７０９２は、サブフレーム＃０の場合に入力される干渉量Ｉ２、Ｉ３、及びＩ４を平均化する。また、平均部７０９２は、サブフレーム＃０以外の場合に入力される干渉量Ｉ３、及びＩ４を平均化する。平均部７０９２は、使用ＯＦＤＭシンボル群判定部７０８６へ、平均化した干渉量Ｉ５を入力する。
【０１２９】
使用ＯＦＤＭシンボル群判定部７０８６は、第１の干渉量測定部７０８２、切替部７０９４、及び平均部７０９２と接続される。使用ＯＦＤＭシンボル群判定部７０８６には、サブフレーム情報が入力される。使用ＯＦＤＭシンボル群判定部７０８６は、干渉量Ｉ１、Ｉ２、及びＩ５に基づいて、平均化処理に使用するＯＦＤＭシンボル群を判定する。
【０１３０】
＜サブフレーム＃０の場合＞
使用ＯＦＤＭシンボル群判定部７０８６は、干渉量Ｉ１と干渉量Ｉ５との差を計算する。使用ＯＦＤＭシンボル群判定部７０８６は、干渉量Ｉ１と干渉量Ｉ５との差が予め設定される閾値Ｙｔｈを超える場合、ｔ＝０のＯＦＤＭシンボル群を平均化処理に使用しないと判定する。干渉量Ｉ１と干渉量Ｉ５との差が予め設定される閾値Ｙｔｈを超える場合には、ｔ＝０のＯＦＤＭシンボル群の干渉量は、干渉量が少ないｔ＝４とｔ＝１１のＯＦＤＭシンボル群の干渉量を平均化したものよりも多いと判断されるためである。さらに、使用ＯＦＤＭシンボル群判定部７０８６は、干渉量Ｉ２と干渉量Ｉ５との差が予め設定される閾値Ｙｔｈを超える場合、ＯＦＤＭシンボル群Ｂを平均化処理に使用しないと判定する。干渉量Ｉ２と干渉量Ｉ５との差が予め設定される閾値Ｙｔｈを超える場合には、ｔ＝７のＯＦＤＭシンボル群の干渉量は、干渉量が少ないｔ＝４とｔ＝１１のＯＦＤＭシンボル群の干渉量を平均化したものよりも干渉量が多いと判断されるためである。干渉量Ｉ１と干渉量Ｉ５との差と比較される閾値と、干渉量Ｉ２と干渉量Ｉ５との差と比較される閾値は、同じであってもよいし、異なっていてもよい。
【０１３１】
＜サブフレーム＃０以外の場合＞
使用ＯＦＤＭシンボル群判定部７０８６は、干渉量Ｉ１と干渉量Ｉ５との差を計算する。使用ＯＦＤＭシンボル群判定部７０８６は、干渉量Ｉ１と干渉量Ｉ５との差が予め設定される閾値Ｙｔｈを超える場合、ｔ＝０のＯＦＤＭシンボル群を平均化処理に使用しないと判定する。干渉量Ｉ１と干渉量Ｉ５との差が予め設定される閾値Ｙｔｈを超える場合には、ｔ＝０のＯＦＤＭシンボル群の干渉量は、干渉量が少ないｔ＝７とｔ＝４とｔ＝１１のＯＦＤＭシンボル群の干渉量を平均化したものよりも多いと判断されるためである。
【０１３２】
使用ＯＦＤＭシンボル群判定部７０８６は、平均化処理部７０４へ、平均化処理に使用すると判定したＯＦＤＭシンボルを示す情報を入力する。
【０１３３】
平均化処理部７０４は、使用ＯＦＤＭシンボル群判定部７０８６からのＯＦＤＭシンボルを示す情報に基づいて、平均化処理を行う。平均化処理部７０４は、干渉量に拘わらず、ｔ＝４、ｔ＝１１のＯＦＤＭシンボルを平均化処理に使用する。
【０１３４】
＜受信装置３００の動作＞
図１６は、受信装置３００の動作の一実施例を示すフローチャートである。
【０１３５】
図１６には、一例として、サブフレーム＃０の場合について示される。
【０１３６】
ステップＳ１６０２では、第１の干渉量測定部７０８２は、ｔ＝０のＯＦＤＭシンボルの干渉量Ｉ１を測定する。第２の干渉量測定部７０８４は、ｔ＝７のＯＦＤＭシンボルの干渉量Ｉ２を測定する。第３の干渉量測定部７０８８は、ｔ＝４のＯＦＤＭシンボルの干渉量Ｉ３を測定する。第４の干渉量測定部７０９０は、ｔ＝１１のＯＦＤＭシンボルの干渉量Ｉ４を測定する。
【０１３７】
ステップＳ１６０４では、平均部７０９２は、干渉量Ｉ３と、干渉量Ｉ４とを平均し、干渉量Ｉ５とする。
【０１３８】
ステップＳ１６０６では、使用ＯＦＤＭシンボル群判定部７０８６は、干渉量Ｉ１と干渉量Ｉ５との差が予め設定される閾値Ｙｔｈを超えるか否かを判定する。
【０１３９】
ステップＳ１６０８では、干渉量Ｉ１と干渉量Ｉ５との差が閾値Ｙｔｈを超える場合、使用ＯＦＤＭシンボル群判定部７０８６は、ｔ＝０のＯＦＤＭシンボルを使用しないと判定する。
【０１４０】
ステップＳ１６１０では、干渉量Ｉ１と干渉量Ｉ５との差が閾値Ｙｔｈを超えない場合、使用ＯＦＤＭシンボル群判定部７０８６は、ｔ＝０のＯＦＤＭシンボルを使用すると判定する。
【０１４１】
ステップＳ１６１２では、使用ＯＦＤＭシンボル群判定部７０８６は、干渉量Ｉ２と干渉量Ｉ５との差が予め設定される閾値Ｙｔｈを超えるか否かを判定する。
【０１４２】
ステップＳ１６１８では、干渉量Ｉ２と干渉量Ｉ５との差が閾値Ｙｔｈを超える場合、使用ＯＦＤＭシンボル群判定部７０８６は、ｔ＝７のＯＦＤＭシンボルを使用しないと判定する。
【０１４３】
ステップＳ１６２０では、干渉量Ｉ２と干渉量Ｉ５との差が閾値Ｙｔｈを超えない場合、使用ＯＦＤＭシンボル群判定部７０８６は、ｔ＝７のＯＦＤＭシンボルを使用すると判定する。
【０１４４】
図１６に示すフローチャートにおいて、ステップＳ１６０６−Ｓ１６１０の処理と、ステップＳ１６１２−Ｓ１６１６の処理の順序を逆にしてもよい。
【０１４５】
受信装置３００の一変形例では、ＲＳＲＰを算出する際に使用するＯＦＤＭシンボルが適応的に判定される。干渉量が多いＯＦＤＭシンボルは除外され、干渉量が少ないＯＦＤＭシンボルを利用してＲＳＲＰが算出されるため、ＲＳＲＰの精度を向上させることができる。干渉セルからの下りリンクの信号による干渉を受けないと想定されるｔ＝４、１１のＯＦＤＭシンボルを基準に、ＲＳＲＰの算出に使用するか否かが判定されるため、該基準となるＯＦＤＭシンボルと同程度の干渉量である場合には、ｔ＝０、４、７、１１のＯＦＤＭシンボルを利用して、ＲＳＲＰを算出できる。ＲＳＲＰの算出精度を向上させることにより、受信品質の測定精度を向上させることができる。
【０１４６】
上述した実施例、及び変形例において、干渉量の代わりにＳＩＲ（ｓｉｇｎａｌ  ｔｏ  ｉｎｔｅｒｆｅｒｅｎｃｅ  ｒａｔｉｏ）を使用してもよい。
【０１４７】
上述した実施例、及び変形例によれば、ＲＳＲＰの精度を向上させることができる。ＲＳＲＰの精度を向上させることにより、受信品質の測定精度を向上させることができる。具体的には、全てのＯＦＤＭシンボルへの干渉量が多い場合は、従来と同様のＲＳＲＰの精度となる。しかし、ＯＦＤＭシンボル毎に干渉量が異なる場合は、干渉量が少ないＯＦＤＭシンボルを使用してＲＳＲＰが算出されるため、精度を向上させることができる。つまり、受信環境に応じて、ＲＳＲＰの算出する際に、最適なＯＦＤＭシンボルを選択できる。
【０１４８】
図１７は、ｔ＝０及びｔ＝７のＯＦＤＭシンボルのＳＩＲを−７．５ｄＢとし、ｔ＝４及びｔ＝１１のＯＦＤＭシンボルのＳＩＲを１０ｄＢとした場合のＲＳＲＰの測定値を示す。つまり、ＯＦＤＭシンボル毎に干渉量が異なる場合に、正解値に対して、測定値がどのくらいずれるかを示す。従来では、正解値に対して、測定値が大きく広がるのが分かる。このため、正解値とは異なる測定値が高頻度で得られる。本実施例では、従来と比較して、正解値に対して、測定値の広がりは狭くなるのが分かる。このため、正解値に近い測定値が得られる。
【０１４９】
以上の実施例を含む実施形態に関し、更に以下の付記を開示する。
（付記１）
第１の送信装置から送信された信号を受信するＲＦ回路と、
該ＲＦ回路により受信した信号に基づいて、受信品質を測定する信号処理部と
を有し、
前記信号処理部は、受信した前記信号のシンボルにマッピングされた既知信号のうち、前記第１の送信装置とは異なる第２の送信装置から送信された信号により干渉を受ける可能性の程度により区別されるシンボルを除くシンボルにマッピングされた既知信号に基づいて、受信品質を測定する、受信装置。
（付記２）
前記第２の送信装置から送信された信号により干渉を受ける可能性の程度により区別されるシンボルシンボルは、前記第２の送信装置から送信された信号と前記第１の送信装置から送信された前記既知信号が衝突する第１のシンボルと、前記第１のシンボル以外で前記第２の送信装置から送信された信号と前記１の送信装置から送信された前記既知信号が衝突する可能のある第２のシンボルとを含む、付記１に記載の受信装置。
（付記３）
前記ＲＦ回路により受信した信号に基づいて、前記受信品質を測定する際に使用する既知信号を指定する制御部
を有し、
前記制御部は、前記ＲＦ回路により受信したサブフレームが前記第１のシンボルを含む場合、前記第１のシンボルと前記第２のシンボルとを除くシンボルにマッピングされる既知信号を、前記受信品質を測定する際に使用する既知信号に指定し、
前記信号処理部は、前記制御部により指定された既知信号に基づいて、受信品質を測定する、付記２に記載の受信装置。
（付記４）
前記ＲＦ回路により受信した信号に基づいて、前記受信品質を測定する際に使用する既知信号を指定する制御部
を有し、
前記制御部は、前記ＲＦ回路により受信したサブフレームが前記第１のシンボルを含まない場合、前記第２のシンボルを除くシンボルにマッピングされる既知信号を、前記受信品質を測定する際に使用する既知信号に指定し、
前記信号処理部は、前記制御部により指定された既知信号に基づいて、受信品質を測定する、付記２に記載の受信装置。
（付記５）
前記ＲＦ回路により受信した信号に基づいて、前記受信品質を測定する際に使用する既知信号を指定する制御部
を有し、
前記制御部は、前記ＲＦ回路により受信した信号に含まれる前記第１のシンボル及び前記第２のシンボルにマッピングされる既知信号の干渉量が、所定の閾値以上であるか否かに基づいて、前記受信品質を測定する際に使用する既知信号に指定し、
前記信号処理部は、前記制御部により指定された既知信号に基づいて、受信品質を測定する、付記２に記載の受信装置。
（付記６）
前記ＲＦ回路により受信した信号に基づいて、前記受信品質を測定する際に使用する既知信号を指定する制御部
を有し、
前記制御部は、前記ＲＦ回路により受信した信号に含まれる前記第１のシンボル、前記第２のシンボル、及び前記第１及び第２のシンボルを除く第３のシンボルにマッピングされる既知信号の干渉量に基づいて、前記第２のシンボルにマッピングされる既知信号の干渉量と前記第３のシンボルにマッピングされる既知信号の干渉量との間の差分、及び前記第１のシンボルにマッピングされる既知信号の干渉量と前記第３のシンボルにマッピングされる既知信号の干渉量との間の差分のいずれか一方、又は両方が所定の閾値以上であるか否かに基づいて、前記受信品質を測定する際に使用する既知信号に指定し、
前記信号処理部は、前記制御部により指定された既知信号に基づいて、受信品質を測定する、付記２に記載の受信装置。
（付記７）
送信装置からの信号を受信し、
受信した前記信号のシンボルにマッピングされた既知信号のうち、前記第１の送信装置とは異なる第２の送信装置から送信された信号により干渉を受ける可能性の程度により区別されるシンボルを除くシンボルにマッピングされる既知信号に基づいて、受信品質を測定する、受信方法。
（付記８）
前記信号処理部は、前記第１の送信装置に対応する既知信号の系列を用いて、前記ＲＦ回路により受信した信号との間で相関演算を行い、前記第１の送信装置とは異なる第２の送信装置から送信された信号により干渉を受ける可能性の程度により区別されるシンボルを除くシンボルにマッピングされた既知信号の相関演算の結果を平均化し、該平均値に基づいて、基準信号受信電力を算出する、付記１に記載の受信装置。
（付記９）
前記ＲＦ回路により受信した信号に基づいて、前記受信品質を測定する際に使用する既知信号を指定する制御部
を有し、
前記制御部は、前記ＲＦ回路により受信した信号に含まれる前記第１の送信装置とは異なる第２の送信装置から送信された信号により干渉を受ける可能性の程度により区別されるシンボルにマッピングされる既知信号のＳＩＲが、所定の閾値以上であるか否かに基づいて、前記受信品質を測定する際に使用する既知信号に指定し、
前記信号処理部は、前記制御部により指定された既知信号に基づいて、受信品質を測定する、付記１に記載の受信装置。
（付記１０）
第１の送信装置から送信された信号のシンボルにマッピングされた既知信号のうち、前記第１の送信装置とは異なる第２の送信装置から送信された信号により干渉を受ける可能性の程度により区別されるシンボルを除くシンボルにマッピングされた既知信号に基づいて、受信品質を測定する信号処理部
を有する、ベースバンド処理装置。
【符号の説明】
【０１５０】
３００  受信装置
６００ｎ（ｎは、ｎ＞０の整数）  ＲＦ回路
５００ｎ  ＡＤＣ
４００  ベースバンド処理装置
【図１】
2014072784.tif 000003
【図２】
2014072784.tif 000004
【図３】
2014072784.tif 000005
【図４】
2014072784.tif 000006
【図５】
2014072784.tif 000007
【図６】
2014072784.tif 000008
【図７】
2014072784.tif 000009
【図８】
2014072784.tif 000010
【図９】
2014072784.tif 000011
【図１０】
2014072784.tif 000012
【図１１】
2014072784.tif 000013
【図１２】
2014072784.tif 000014
【図１３】
2014072784.tif 000015
【図１４】
2014072784.tif 000016
【図１５】
2014072784.tif 000017
【図１６】
2014072784.tif 000018
【図１７】
2014072784.tif 000019